(57)【要約】【課題】  一種のグレイコード映像認識を基礎とする電子チケットのサービスシステムを提供し、同じ表示コストで、もっと多くの情報量を達成し、現在の１次元バーコード及び２次元バーコードの不足を補うこと。【解決手段】  使用者にチケットの購入及び払い手続きを提供するチケット購入装置１と、チケットの購入情報によりエンコード及び暗号化を行い、人員の身分認識、物品の購入の証明或は費用の納入の応用のグレイコード形式の電子チケット、且つ無線の転送方式により出力する電子チケットの発行管理装置２と、グレイコード形式の電子のチケットを受信できると共に、スクリーンに表示する携帯表示装置４と、携帯表示装置におけるスクリーンのグレイコードを認識でき、結果をディコードして暗号化し、チケットの正確性を査証する検札装置５と、を含むことを特徴とする。【選択図】図１
2006202133.tif 000002
【特許請求の範囲】
【請求項１】
使用者にチケットの購入及び払い手続きを提供するチケット購入装置と、
チケットの購入情報によりエンコード及び暗号化を行い、人員の身分認識、物品の購入の証明或は費用の納入の応用のグレイコード形式の電子チケット、且つ無線の転送方式により出力する電子チケットの発行管理装置と、
グレイコード形式の電子のチケットを受信できると共に、スクリーンに表示する携帯表示装置と、
携帯表示装置におけるスクリーンのグレイコードを認識でき、結果をディコードして暗号化し、チケットの正確性を査証する検札装置と、を含むことを特徴とする、
グレイコード映像認識を基礎とする電子チケットのサービスシステム。
【請求項２】
請求項1に記載のグレイコード映像認識を基礎とする電子チケットのサービスシステムおいて、
該電子のチケットの発行管理装置が作成された電子チケットのグレイコードは、赤、緑、青、黒、白の五つの色のグレイからなることを特徴とする電子チケットのサービスシステム。
【請求項３】
請求項1に記載のグレイコード映像認識を基礎とする電子チケットのサービスシステムおいて、
該電子のチケットの発行管理装置が作成する電子チケットのグレイコードは、いずれかの色のグレイからなることを特徴とする電子チケットのサービスシステム。
【請求項４】
請求項1に記載のグレイコード映像認識を基礎とする電子チケットのサービスシステムおいて、
該電子のチケットの発行管理装置が作成する電子チケットのグレイコードは、いずれかの形式の図形からなることを特徴とする電子チケットのサービスシステム。
【請求項５】
請求項１に記載のグレイコード映像認識を基礎とする電子チケットのサービスシステムおいて、
該電子のチケットの発行管理装置が作成するグレイコード形式の電子チケットは、マルチメディア情報サービスにより使用者への携帯表示装置に転送することを特徴とする電子チケットのサービスシステム。
【請求項６】
請求項１に記載のグレイコード映像認識を基礎とする電子チケットのサービスシステムおいて、
該携帯表示装置はいずれかの形式の携帯電話であることを特徴とする電子チケットのサービスシステム。
【請求項７】
請求項１に記載のグレイコード映像認識を基礎とする電子チケットのサービスシステムおいて、
該携帯表示装置は如何なる携帯通信端末機器であることを特徴とする電子チケットのサービスシステム。
【請求項８】
請求項１に記載のグレイコード映像認識を基礎とする電子チケットのサービスシステムおいて、
該検札装置は、映像処理技術を有し、該携帯表示装置がスクリーンにおけるグレイコードを自動的に読み取って検証をすることを特徴とする電子チケットのサービスシステム。
【請求項９】
請求項８に記載のグレイコード映像認識を基礎とする電子チケットのサービスシステムおいて、
該検札装置は、映像認識の結果により、この結果の合理性を自動的に判断することを特徴とする電子チケットのサービスシステム。
【請求項１０】
請求項８に記載のグレイコード映像認識を基礎とする電子チケットのサービスシステムおいて、
該検札装置が、映像認識の結果が不合理である、或は自動認識できないことを判断した場合には、正確な結果を手動で入力することを特徴とする電子チケットのサービスシステム。
【発明の詳細な説明】
【技術分野】
【０００１】
本発明は、一種のグレイコード映像認識を基礎とする電子チケットのサービスシステムを提供し、特に携帯電話或いはその他携帯通信端末機器に表示でき、このグレイコード映像認識を基礎とする電子チケットのサービスシステムに応用でき、人員の身分識別、物品購入の証拠、或いは費用の納入のシステムに関するものである。
【背景技術】
【０００２】
今、普通の電子チケットサービスが提供されるバーコード形式の電子チケットは、白黒２色の１次元バーコード及び２次元バーコードが主であり、携帯通信端末機器のスクリーンの大小の制限を受け、表示できる情報量に限りがあり、広く使用することができない。
このことから、前記の現行の方式にはまだ多くの欠点があり、実に一つの優れた設計物ではなく、改良が加えられることを望んでいる。
本発明者は前記の現行の方式の各項の欠点に鑑み、積極的に改良し、多年の研究後、遂に本件のグレイコード映像認識を基礎とする電子チケットのサービスシステムを研究開発し完成することに成功した。
【発明の開示】
【発明が解決しようとする課題】
【０００３】
本発明の目的は、一種のグレイコード映像認識を基礎とする電子チケットのサービスシステムを提供し、同じ表示コストで、もっと多くの情報量を達成し、現在の１次元バーコード及び２次元バーコードの不足を補う事にある。
【課題を解決するための手段】
【０００４】
前記の長所を備える、グレイコード映像認識を基礎とする電子チケットのサービスシステムは、使用者がチケットの購入及び費用の納入手続きを提供する少なくとも一つの使用者のチケットの購入装置と、チケットの購入の情報によりエンコード（ｅｎｃｏｄｅ）及び暗号化を行い、人員の身分認識、物品の購入の証拠或は費用の納入に応用するグレイコード形式の電子のチケット、且つ無線の転送方式により出力する少なくとも一つの電子チケットの発行管理装置と、グレイコード形式の電子のチケットを受信できると共に、スクリーンに表示するすくなくとも一つの携帯表示装置と、携帯表示装置におけるスクリーンのグレイコードを認識でき、結果をディコード（ｄｅｃｏｄｅ）し、チケットの正確性を査証する少なくとも一つの検札装置を含む。
上述の構造のように主にグレイコード形式の電子チケットを提供し、チケット購入者がチケット購入手続きを完了した後、チケットサービスシステムはエンコードして暗号化したグレイコードを、マルチメディア情報サービス或いはその他の無線伝送方式により、チケット購入者指定の携帯電話或いはその他携帯通信端末機器に伝送する。また本システムは、イメージ認識をコーアとする検札装置を提供し、携帯電話或は他の携帯通信端末機器のスクリーンのグレイコードの表示を認識できる。
【発明を実施するための最良の形態】
【０００５】
図１は本発明が提供するグレイコード（Ｇｒａｙ  ｃｏｄｅ）６映像認識を基礎とする電子チケット３サービスシステムの構造図を示す。本発明は、使用者チケット購入装置１と、電子チケット発行管理装置２と、携帯表示装置４と、検札装置５の組み合わせによって成り、チケット購入装置１、電子チケット発行管理装置２、携帯表示装置４及び検札装置５は、例えばインターネット等の通信回線により接続されている。
【０００６】
チケット購入装置１は、使用者にチケット購入サービスを提供するものである。使用者は、チケット購入装置１により、費用納付を含めたチケット購入手続きを行う。チケット購入装置１は、例えば、通常のコンピュータのハードウェアで構成することができるが、チケット購入手続きを進行するためのチケット購入手続きプログラム（図示せず）を備え、このチケット購入手続きプログラムによる使用者のチケット購入手続き完了後に、チケット購入情報を電子チケット発行管理装置２に送信可能に構成されている。
【０００７】
電子チケット発行管理装置２は、例えば、通常のコンピュータのハードウェアで構成されるが、チケット購入装置１から受信したチケット購入情報を、エンコードして暗号化を進行する暗号化手段と、暗号化したチケット購入情報を基に、人員の身分識別、物品購入の証拠、或いは費用の納入として応用できるグレイコード６形式の電子チケット３を発券するグレイコード化手段と、グレイコード６形式の電子チケット３を無線伝送方式により出力する出力手段と、を備えている（図示せず）。
【０００８】
携帯表示装置４はグレイコード６形式の電子チケット３を受信できてスクリーンに表示する。
検札装置５は、例えば、通常のコンピュータのハードウェアで構成されるが、携帯表示装置４のスクリーンに表示されたグレイコード６を受信して認識するグレイコード認識手段と、その結果をディコードしてチケット３の正確性を査証する査証手段と、を備えている（図示せず）。
【０００９】
前記の構造のように、使用者は使用者チケット購入装置１を通してチケットを購入することができ、チケット購入装置１のチケット購入手続きプログラムは、電話音声応答、インターネット或いはその他のチケット購入方式で構成することができる。使用者がチケット購入及び料金納付手続きを完了した後、電子チケット発行管理装置２は、チケット購入装置１から受信したチケット購入情報を、暗号化手段によりエンコードして暗号化を進行し、暗号化したチケット購入情報を基に、グレイコード化手段により、人員の身分識別、物品購入の証拠、あるいは費用の納入として応用できるグレイコード６形式の電子チケット３を発券する。チケットの購入情報はチケット保有者の携帯電話番号、日時、上演の情報、乗り物のスケジュール情報、座席情報及びその他必要な情報を含む。グレイコード６形式の電子チケット３はマルチメディア情報サービス或いはその他の無線伝送方式により、チケット購入者指定の携帯表示装置４に伝送する。携帯表示装置４は、携帯電話或いはその他携帯通信端末機器を含む。チケット保有者が入場する際に、グレイコード６形式の電子チケット３を携帯表示装置４のスクリーン上に表示し、更に検札装置５の認識及びチケット３の検査の正確性を介して間違いないことを査証し通過させる。検札装置５は、携帯表示装置４のスクリーンに表示されたグレイコード６を受信してグレイコード認識手段によって認識し、査証手段により、その結果をディコードし、チケット３の検査の正確性を査証する。検札装置５は、グレイコード認識手段による映像自動判断認識の結果が不合理であるか、または自動認識できない場合には、システム管理人により正確な結果を手動で入力することができ、チケット３の発行の資料により読み込んだチケット３が有効であるかどうか査証手段により判断することができる。
【００１０】
図２、図３、図４及び図５は、本発明が提供するグレイコード６の実施例１、実施例２、実施例３及び実施例４である。電子チケット発行管理装置２のグレイコード化手段が採用するグレイコード６は、現行の白黒２色の１次元バーコード或いは２次元バーコードと異なり、白黒２色を含めた多色のグレイで構成ことができる。また、グレイコード６は、四角形や円形など、いずれかの形式の複数の図形からなる。そして、検札装置５のグレイコード認識手段は、多色のグレイ（Ｇｒａｙ）で構成したグレイコード６を、映像認識可能なものとすることができる。それぞれの元素に採用されるグレイが多ければ多いほどグレイコード６が表示できる情報量は大きくなることを示し、相対にグレイコード６映像認識技術が高度化し、あらゆる従来の１次元バーコード及び２次元バーコード、任意の形式の図形は共にグレイコード６の観念により改良し、もっと多くの情報量を収容することができる。本実施例の中では、グレイコード６は赤、緑、青、黒、白の５色を採用してそれぞれのビットを表示し、即ち、それぞれのビット全てに、赤、緑、青、黒、白の５種の表示方法がある。グレイコード６を、２進法の従来の白黒２色の１次元バーコード及び２次元バーコードの代わりにする、その長所はグレイコード６が、５進法でそれぞれのビットを表示してグレイコード６が含まれた情報容量を大幅に増やす事ができる以外に、同時にグレイコード６は携帯表示装置４上に表示されるので、従来の紙のバーコードのカラープリントコストがなく、そのコストは白黒２色の１次元バーコード及び２次元バーコードと同じであり、故にグレイコード６は従来の１次元バーコード及び２次元バーコードと比較して更に広く使用できる。
【００１１】
本発明は、グレイコード６映像認識を基礎とする電子チケット３サービスシステムを提供するにおいて、他の公知技術によりも、更に下記の長所がある。
本発明は、グレイコード６により電子チケット３とし、携帯表示装置４上にグレイコード６を表示し、並びに紙のバーコードのカラープリントコストがなく、そのコストは白黒２色の１次元バーコード及び２次元バーコードと同じである。
本発明は、映像認識技術を集結しており、携帯電話或いはその他携帯通信端末機器スクリーン上のグレイコード６を認識できる。
【図面の簡単な説明】
【００１２】
【図１】本発明のグレイコード映像認識を基礎とする電子チケットサービスシステムの構造図である。
【図２】グレイコードの具体例１である。
【図３】グレイコードの具体例２である。
【図４】グレイコードの具体例３である。
【図５】グレイコードの具体例４である。
【符号の説明】
【００１３】
１    使用者チケット購入装置
２    電子チケット発行管理装置
３    電子チケット
４    携帯表示装置
５    検札装置
６    グレイコード
【図２】
2006202133.tif 000003
【図３】
2006202133.tif 000004
【図４】
2006202133.tif 000005
【図５】
2006202133.tif 000006
【図１】
2006202133.tif 000007